(57)【要約】【課題】従来技術において検索のリアルタイム性が低いといった問題を解決することができる電話番号情報の共有方法及び共有装置を提供すること。【解決手段】本発明は、電話番号情報の共有方法及び共有装置を開示する。ローカル移動端末は、少なくとも１つの選択された移動端末に、ターゲットユーザーの検索要求情報を送信する。選択された移動端末は、検索要求情報を受信して識別する。選択された移動端末は、前記検索要求情報に応じて、選択された移動端末内でターゲットユーザーの電話番号情報を検索し、且つ前記ローカル移動端末に検索結果をフィードバックする。【選択図】図１ｂ
2013501278.tif 000002
【特許請求の範囲】
【請求項１】
電話番号情報の共有方法であって、
ローカル移動端末が少なくとも１つの選択された移動端末に、ターゲットユーザーの検索要求情報を送信するステップＡと、
選択された移動端末が検索要求情報を受信して識別するステップＢと、
選択された移動端末が、前記検索要求情報に応じて、選択された移動端末内でターゲットユーザーの電話番号情報を検索し、且つ前記ローカル移動端末に検索結果をフィードバックするステップＣと
を含むことを特徴とする電話番号情報の共有方法。
【請求項２】
ステップＢの後に、
選択された移動端末が、検索を要求する移動端末に対して検索権限の認証を行い、認証をパスした後、ステップＣに進むステップＢ１を更に含む
ことを特徴とする請求項１に記載の方法。
【請求項３】
前記検索を完了した後、検索結果をフィードバックする前に、ステップＣは、
選択された移動端末が、検索結果の中にターゲットユーザーの電話番号情報が存在するかどうかを判断し、存在する場合、ステップＣ２に進み、存在しない場合、ステップＣ３に進むステップＣ１と、
選択された移動端末が、ローカル移動端末に検索結果を送信し、プロセスを終了するステップＣ２と、
当該選択された移動端末が、第三者の移動端末に検索要求情報を送信し、且つ前記第三者の移動端末が選択された移動端末としてステップＢを実行するステップＣ３と
を更に含むことを特徴とする請求項１に記載の方法。
【請求項４】
ステップＣ３において、前記第三者の移動端末が選択された移動端末として機能する場合に、前記第三者の移動端末の検索レベルが、設定された閾値より小さいかどうかを判断し、閾値以上である場合、当該第三者の移動端末が、検索を完了した後に、前記ローカル移動端末に検索結果を直接送信して、検索のプロセスを終了し、閾値より小さい場合、当該第三者の移動端末が、検索を完了した後、ステップＣ１を実行する
ことを特徴とする請求項３に記載の方法。
【請求項５】
電話番号情報の共有装置であって、
ターゲットユーザーの検索要求情報を受信して識別することに用いられる情報識別モジュールと、
前記検索要求情報に応じて、検索モジュールが所属する移動端末内でターゲットユーザーの電話番号情報を検索して提供すること、及び検索要求情報を送信することに用いられる検索モジュールと
を含むことを特徴とする電話番号情報の共有装置。
【請求項６】
前記装置は、
検索モジュールによって取得された検索結果の中に、ターゲットユーザーの電話番号情報が存在するかどうかを判断し、存在しない場合、第三者の移動端末に検索要求情報を送信することに用いられる判断モジュールを更に含む
ことを特徴とする請求項５に記載の装置。
【請求項７】
前記装置は、
検索を要求する移動端末に対して検索権限の認証を行い、そして、認証がパスした後、検索モジュールが前記検索動作を実行することを許可することに用いられる権限認証モジュールを更に含む
ことを特徴とする請求項５又は請求項６に記載の装置。
【請求項８】
前記装置は、
前記検索されて取得された結果を含むユーザープロンプトを表示することに用いられる表示モジュールを更に含む
ことを特徴とする請求項５に記載の装置。
【請求項９】
前記移動端末は、
送受信モジュールが所属する移動端末と外部との間の、前記検索に関する通信をサポートすることに用いられる送受信モジュールを更に含む
ことを特徴とする請求項５に記載の装置。
【請求項１０】
前記移動端末がローカル移動端末として機能し、前記送受信モジュールは、少なくとも１つの選択された移動端末に検索要求情報を更に送信する
ことを特徴とする請求項９に記載の装置。
【発明の詳細な説明】
【技術分野】
【０００１】
本発明は、移動通信分野に関し、特に、移動端末を利用する電話番号情報の共有方法及び共有装置に関する。
【背景技術】
【０００２】
移動端末の計算性能の向上に伴って、移動端末で様々な情報共有サービスを実現することが開発動向となってきている。現在、当該分野で採用されている主な方法は、大量の情報を予め記憶し、そして第三者のサーバーを利用してこれらの情報を集中的に検索し、最終的に情報共有サービスを実現するといった方法である。
【０００３】
例えば、Google検索エンジンの実現方法は下記の通りである。まず、大量の情報をサーバーに記憶し、且つ検索条件に従ってこれらの情報を分類する。ユーザーがGoogleのサイトにログインし、キーワードを入力した後、サイトは所定の検索アルゴリズムに従って、サーバー内でこれらのキーワードを集中的に検索する。最終的に、サイトはキーワードに関連するすべての情報を当該ユーザーと共有する。
【０００４】
社会の発展に伴って、社会的関係は個人の発展に影響を与える非常に重要な要因となってきている。人々は各自の社会的関係を持つと同時に、個人の発展にとても役に立つように、自分の社会的関係を介して迅速により多くの友達を作ることを期待する。携帯電話などの移動端末の普及に伴い、人々は、一般的に移動端末によって提供される電話帳を利用して、親戚、友達の電話番号などの情報のような各自の社会的関係を記録することがある。
【０００５】
ハーバード大学の社会心理学者スタンレー・ミルグラムは１９６７年に、「六次の隔たり（６Degrees of Separation）」、即ち、「平均的に、世界中の任意の２人は自分の知り合いを６人以上介すと世界中の人々と間接的な知り合いになれる理論」を提唱している。当該理論を踏まえ、移動端末において、第三者のサーバーを経由せず、直接的にローカル端末の電話帳機能を利用して電話番号を検索し、迅速に社会的関係を広域に拡張することができる安全かつ効率的な検索方法が仮に存在するとした場合、個人の発展のために優れた利便性をもたらすことができる。
【０００６】
下記特許文献１に記載の「電話番号の検索方法及び検索エンジン」は、ローカル電話帳及び第三者のサーバーを利用して電話番号の検索を実現する方法を公開している。このような方法では、検索のプロセスにおいて、まずユーザーがサーバーに個人情報を提出する必要があり、その後、サーバーが収集された個人情報を集中的に検索する。この種の方法では、ユーザーがローカル電話帳の記録を更新した後、その更新された記録をサーバーにリアルタイムに送信しなかった場合、サーバーは更新後の記録を検索できない。従って、検索のリアルタイム性が低いといった問題がある。
【先行技術文献】
【特許文献】
【０００７】
【特許文献１】中国特許出願第２００４１００２６８２２号明細書
【発明の概要】
【発明が解決しようとする課題】
【０００８】
これに鑑み、本発明の主な目的は、従来技術において検索のリアルタイム性が低いといった問題を解決するための電話番号情報の共有方法及び共有装置を提供することにある。
【課題を解決するための手段】
【０００９】
上記目的を達成するために、本発明の技術的なスキームは以下のように実現される。
【００１０】
電話番号情報の共有方法であって、
ローカル移動端末が少なくとも１つの選択された移動端末に、ターゲットユーザーの検索要求情報を送信するステップＡと
選択された移動端末が検索要求情報を受信して識別するステップＢと、
選択された移動端末が、前記検索要求情報に応じて、選択された移動端末内でターゲットユーザーの電話番号情報を検索し、且つ前記ローカル移動端末に検索結果をフィードバックするステップＣとを含む電話番号情報の共有方法。
【００１１】
前記方法は、ステップＢの後に、
選択された移動端末が、検索を要求する移動端末に対して検索権限の認証を行い、認証をパスした後、ステップＣに進むステップＢ１を更に含む。
【００１２】
前記検索を完了した後、検索結果をフィードバックする前に、ステップＣは、
選択された移動端末が、検索結果の中にターゲットユーザーの電話番号情報が存在するかどうかを判断し、存在する場合、ステップＣ２に進み、存在しない場合、ステップＣ３に進むステップＣ１と、
選択された移動端末が、ローカル移動端末に検索結果を送信し、プロセスを終了するステップＣ２と、
当該選択された移動端末が、第三者の移動端末に検索要求情報を送信し、且つ前記第三者の移動端末が選択された移動端末としてステップＢを実行するステップＣ３とを更に含む。
【００１３】
ステップＣ３において、前記第三者の移動端末が選択された移動端末として機能する場合に、前記第三者の移動端末の検索レベルが、設定された閾値より小さいかどうかを判断し、閾値以上である場合、当該第三者の移動端末が、検索を完了した後に、前記ローカル移動端末に検索結果を直接送信して、検索のプロセスを終了する。閾値より小さい場合、当該第三者の移動端末が検索を完了した後、ステップＣ１を実行する。
【００１４】
電話番号情報の共有装置であって、当該装置は、
ターゲットユーザーの検索要求情報を受信して識別することに用いられる情報識別モジュールと、
前記検索要求情報に応じて、検索モジュールが所属する移動端末内でターゲットユーザーの電話番号情報を検索して提供すること、及び検索要求情報を送信することに用いられる検索モジュールとを含む。
【００１５】
前記装置は、検索モジュールによって取得された検索結果の中に、ターゲットユーザーの電話番号情報が存在するかどうかを判断し、存在しない場合、第三者の移動端末に検索要求情報を送信することに用いられる判断モジュールを更に含む。
【００１６】
前記装置は、検索を要求する移動端末に対して検索権限の認証を行い、そして、認証がパスした後、検索モジュールが前記検索動作を実行することを許可することに用いられる権限認証モジュールを更に含む。
【００１７】
前記装置は、前記検索されて取得された結果を含むユーザープロンプトを表示することに用いられる表示モジュールを更に含む。
【００１８】
前記移動端末は、送受信モジュールが所属する移動端末と外部との間の、前記検索に関する通信をサポートすることに用いられる送受信モジュールを更に含む。
【００１９】
前記移動端末がローカル移動端末として機能し、前記送受信モジュールは、少なくとも１つの選択された移動端末に検索要求情報を更に送信する。
【００２０】
以上から明らかなように、本発明の方法及び装置は、第三者のサーバーの関与が不要とされているため、より高い検索のリアルタイム性を保証することができる。加えて、検索プロセスにおいて、更に、第三者の移動端末の協力を要求できるため、検索のリアルタイム性を向上させるとともに検索の有効性も保証することができる。
【図面の簡単な説明】
【００２１】
【図１ａ】本発明の実施例に係る検索プロセスを示す概略図である。
【図１ｂ】本発明の実施例に係る検索プロセスを示す概略図である。
【図２】本発明の実施例に係る検索要求情報のフォーマットを示す図である。
【図３】本発明の実施例に係る検索成功後のフィードバック情報のフォーマットを示す図である。
【図４】本発明の実施例に係る権限認証要求情報のフォーマットを示す図である。
【図５】本発明の実施例に係る権限認証受入情報のフォーマットを示す図である。
【図６】本発明の実施例に係る移動端末間での権限認証を行うときのフローチャートである。
【図７】本発明の実施例に係る移動端末の検索失敗メッセージのフォーマットを示す図である。
【図８】本発明の実施例に係る移動端末の構造図である。
【発明を実施するための形態】
【００２２】
従来技術において検索のリアルタイム性が低いといった問題を解決するために、本発明は、電話番号情報の共有方法を提供する。以下、図面及び２つの実施例を参照しつつ、本発明をさらに詳細に説明する。なお、ここで説明する本発明の具体的な実施例は、本発明を説明するために用いられるものに過ぎず、本発明を限定するものではないと理解すべきである。
【００２３】
図１（ａ）は、本発明の第１の実施例を示す図である。
以下、図１（ａ）を参照し、ローカルユーザー甲がターゲットユーザー丁の電話番号の情報を共有するプロセスを実施例として、甲が乙及び丙を介して検索を実行して情報共有を行うプロセスを説明する。
【００２４】
（１）ユーザー甲は、ユーザー乙の電話帳の中に丁の存在の可能性が一番大きいと予想し、ユーザー甲は、移動端末の送信モジュール１０１を利用してユーザー乙に検索権限認証情報を送信する。このとき、ユーザー乙が今回の検索パスの始点として選択される。
【００２５】
（２）ユーザー乙の移動端末は、受信モジュール１１１を介して当該情報を受信し、情報識別モジュール１１２を実行して、検索要求の権限認証情報を受信したと判断する。そして、ユーザー乙の移動端末は、表示モジュール１１５を実行して、ユーザー甲の検索権限認証の受け入れをユーザー乙に促す。
【００２６】
（３）ユーザー甲は、移動端末の送信モジュール１０１を利用してユーザー乙にユーザー甲の電話番号やユーザー丁の名前などを含む検索要求情報を送信する。
【００２７】
（４）ユーザー乙の移動端末は、当該情報を受信した後、情報識別モジュール１１２を実行して、検索要求情報を受信したと判断し、検索モジュール１１４を実行して、電話帳の中でターゲットユーザー丁を検索する。
【００２８】
（５）検索が完了すると、乙の移動端末は、判断モジュール１１６を実行して、その電話帳の中でユーザー丁が見つかったと判断し、そして、送信モジュール１１７を介して、ローカルユーザー甲によって利用される移動端末に丁の電話番号を送信する。
【００２９】
（６）ユーザー甲の移動端末は、受信モジュール１０７を介して、検索成功の情報を受信し、検索が終了する。これにより、ユーザー甲によるターゲットユーザー丁の電話番号情報の共有が実現される。
【００３０】
以上は、ユーザー甲がユーザー乙を介して、最終的に丁を見つけ、電話番号情報の共有を完了した場合の実施例であり、この例では、レベル１の検索で処理が完了する。乙の電話帳の中にユーザー丁が見つからなかった場合、レベル２の検索が行われる。この処理は、前記ステップ（５）内の一部の処理の後に実行される。このときのステップは次の通りである。
【００３１】
（Ａ）ユーザー乙の移動端末は、判断モジュール１１６を実行して、乙の電話帳の中でユーザー丁が見つからなかったと判断する。
【００３２】
（Ｂ）ステップ（１）を参照して、ユーザー乙の移動端末は、表示モジュール１１５を実行して、電話帳内で他のユーザーを再選択するようにユーザー乙に促す。このとき、検索パスの新たな始点として、ユーザー乙が、ユーザー丙を選択したとする。
【００３３】
（Ｃ）ステップ（２）を参照して、乙の移動端末は、送信モジュール１１７を介して、丙に権限認証情報を送信する。丙の移動端末は、情報識別モジュール１２６、表示モジュール１２３及び権限認証モジュール１２５を実行し、乙の検索権限認証をパスする。
【００３４】
（Ｄ）ステップ（３）を参照して、乙の移動端末は、送信モジュール１１７を介して丙に検索要求情報を送信する。
【００３５】
（Ｅ）ステップ（４）を参照して、丙の移動端末は、情報識別モジュール１２６及び検索モジュール１２４を実行し、電話帳の中でユーザー丁を検索する。
【００３６】
（Ｆ）ステップ（５）を参照して、丙の移動端末は、判断モジュール１２２を実行して、丁が見つかったと判断し、このとき、送信モジュール１２１を介してローカルユーザー甲に丁の電話番号を直接送信する。
【００３７】
以上は、甲が、乙及び丙を介して最終的に丁を見つけ、電話番号情報の共有が完了した場合の実施例であり、この例では、二段階のレベルの検索により処理が完了する。丙が依然として丁を見つけることができなかった場合、上記した検索ステップを繰り返して、検索を続けるかどうかをユーザーに尋ねる。任意のレベルのときにユーザーが検索を続けることを拒否する場合、ユーザー甲に当該情報を送信する。本実施例において提供される携帯端末には、最大で６段階のレベルの検索が許可されている。
【００３８】
図１（ｂ）は、本発明の第２の実施例を示す図である。図１（ｂ）を参照して、ローカルユーザーＡがターゲットユーザーＣを検索するプロセスを実施例として、ユーザーＡが、ユーザーＢ、Ｄ、及びＥを介して、ターゲットユーザーＣの電話番号情報の検索及び共有を実現するプロセスを説明する。
【００３９】
（１）ローカルユーザーＡは、ユーザーＢ、Ｄ、及びＥの電話帳の中でターゲットユーザーＣを見つけることができる可能性が高いと予想し、ユーザーＡは、検索パスの始点となる移動端末として、同時にユーザーＢ、Ｄ、及びＥの３人のユーザーを選択し、３つの検索パスを介して、ユーザーＣを同時に検索する。
【００４０】
（２）ユーザーＡは、移動端末の送信モジュールを利用して、３人のユーザーＢ、Ｄ、及びＥに検索権限の認証情報を同時に送信する。
【００４１】
（３）ユーザーＢ、Ｄ、及びＥの各移動端末は、それぞれ、受信モジュールを介して、当該情報を受信し、情報識別モジュールを実行して、検索要求の権限認証情報を受信したと判断する。各移動端末は、表示モジュール１０５を実行して、ユーザーＡの検索権限の認証情報の受け入れを各ユーザーにそれぞれ促す。
【００４２】
（４）ユーザーＡは、移動端末の送信モジュールを利用して、ユーザーＢ、Ｄ、及びＥにユーザーＡの電話番号及びターゲットユーザーＣの名前を含む検索要求情報を同時に送信する。
【００４３】
（５）ユーザーＢ、Ｄ、及びＥの移動端末は、当該情報を受信した後、情報識別モジュールをそれぞれ実行し、検索要求情報を受信したと判断する。そして、各移動端末は、検索モジュールを実行して、電話帳の中でターゲットユーザーＣを検索する。
【００４４】
（６）検索が完了すると、ユーザーＢ、Ｄ、及びＥの移動端末は、まず、検索が成功したかどうか判断し、そして、送信モジュールを利用してローカルユーザーＡによって利用される移動端末に、検索成功又は検索失敗の結果を送信する。
【００４５】
（７）ユーザーＡの移動端末は、受信モジュールを介してこの３人のユーザーによって送信された検索結果を受信し、表示モジュールを実行して、検索結果を表示する。
【００４６】
以上は、ユーザーＡがユーザーＢ、Ｄ、及びＥを介してターゲットユーザーＣを検索し、その電話番号情報を共有する場合の実施例である。なお、本発明は、デフォルトでユーザーＡが最大で同時に１０人のユーザーを選択して同時に検索できるが、この数量に限定されない。
【００４７】
本明細書によって説明された情報の送信/受信は、具体的に、以下の方式によって実現される。
【００４８】
送信モジュール、受信モジュール、情報識別モジュール、検索モジュール、表示モジュール、権限認証モジュール及び判断モジュールのプロセスがソフトウェア部のみに追加される。一方で、移動端末における既存モジュールのハードウェア部は不変とされる。上記ソフトウェア上の追加は、GPRSネットワーク、TD - SCDMAネットワーク、WCDMAネットワーク等の様々なネットワークを介して行うことができる。移動端末は、情報を受信した場合、まず、その情報の識別子に応じて判断を行い、受信された情報が、検索情報であるのか、一般的なショートメッセージ（SMS）であるのか、或いは、マルチメディアメッセージ（MMS）であるのかを識別する。受信された情報が一般的なショートメッセージ又はマルチメディアメッセージである場合、ショートメッセージ又はマルチメディアメッセージの処理モジュールが実行される。受信された情報が検索情報である場合、検索情報の識別子に応じて、当該情報が所属する具体的なタイプが識別される。検索情報の具体的なタイプは、検索要求情報、検索成功後にフィードバックされたターゲットユーザーの情報、権限認証要求情報、権限認証受入情報及び検索失敗の情報を含む。移動端末による検索情報に対する読み込み、判断等の動作は、全てバックグラウンドで実行され、処理プロセスにおいて、プロンプトモジュールを介して、ユーザーとのインタラクションを行う。
【００４９】
図２は、前記検索要求情報のフォーマットを示す図である。
【００５０】
２０１は、現在受信された情報が検索要求であるかどうかを移動端末が判断することに用いられる、検索機能によって送信される識別子である。２０２及び２０９は、それぞれ、ローカルユーザーの電話番号及びターゲットユーザーの名前を記憶している。２０３から２０８までは、逆順で、各レベルの検索で経由されたユーザーの電話番号を記憶している。本実施例において設定された検索レベルの最大値はレベル６であるため、情報フォームにおいて６段階のレベルのユーザーの記憶スペースを確保している。
【００５１】
図３は、前記検索成功の後に、フィードバックされるターゲットユーザーの情報のフォーマットを示す図である。
【００５２】
３０１は、検索成功後にフィードバックされるターゲットユーザー情報の識別子である。３０２及び３０３は、それぞれ、ローカルユーザー及びターゲットユーザーの携帯電話番号である。当該情報は、２つの機能を有しており、１つ目は、ユーザー乙又はユーザー丙の検索が成功して、ターゲットユーザー丁の電話番号をローカルユーザー甲に直接フィードバックする場合に、まず、情報から甲の電話番号を抽出し、そして、フィードバックのプロセスを完了させるための機能である。２つ目の機能は、ローカルユーザー甲が当該情報を受信した後、この情報の中から、ターゲットユーザー丁の電話番号を直接抽出することができるようにするための機能である。
【００５３】
図４及び図５は、それぞれ、前記権限認証要求情報及び権限認証受入情報のフォーマットを示す図である。
【００５４】
４０１は、権限認証要求の識別子である。４０２及び４０３は、それぞれ、送信側及び受信側のユーザーの携帯電話番号である。５０１は、権限認証受入の識別子である。５０２及び５０３は、それぞれ、送信側及び受信側のユーザーの携帯電話番号である。２種類の情報は、いずれも送信側及び受信側のユーザーの携帯電話番号を含んでおり、その目的は、認証プロセスにおいて両者が各々で完了する必要がある機能を明確にさせるためである。
【００５５】
図６は、前記権限認証の実現プロセスを示す図である。移動端末１から移動端末２に権限認証要求が送信されてプロセスが開始される場合を実施例として、権限認証プロセスの具体的な実行ステップについてさらに説明する。
【００５６】
ステップ１：移動端末１は、移動端末２に権限認証要求情報を送信する。権限認証要求情報のフォーマットは、図４に示されている。
【００５７】
ステップ２：移動端末２は、移動端末１によって送信された権限認証要求情報を受信した後、プロンプトモジュールを呼び出して、今回の認証を受け入れるかどうかをローカルユーザーに促す（プロンプトする）。ユーザーが今回の権限認証を受け入れる場合、移動端末２は、直ちに認証受入情報を移動端末１にフィードバックする。フィードバック情報のフォーマットは図５に示されている。権限認証を受け入れない場合、移動端末２は、送信モジュールを介して、認証拒否情報を移動端末１にフィードバックする。
【００５８】
ステップ３：移動端末１は、権限認証受入情報を受信した後、直ちに移動端末１の動作状態（ステータス）を検査して、移動端末２に移動端末１の「準備完了」の情報を送信する。移動端末２は、「準備完了」の情報を受信した後、移動端末２の状態を検査して、移動端末１に「準備完了」の情報を送信する。
【００５９】
移動端末１及び移動端末２は、二度の対話動作を介して、検索権限の認証プロセスを完了する。
【００６０】
図７は、前記検索失敗の情報のフォーマットを示す図である。７０１は、検索失敗の識別子である。７０２及び７０３は、それぞれ、ローカルユーザーの携帯電話番号及びターゲットユーザーの名前である。７０４は、トリガの失敗と、選択されたユーザーの継続検索拒否と、レベル６までの検索でターゲットを検索できないことによる失敗とを含む三つの検索失敗のタイプである。
【００６１】
本発明の移動端末、例えば、図８に示される第１実施例のユーザー乙によって利用される移動端末は、送信モジュール１１７、受信モジュール１１１、情報識別モジュール１１２、検索モジュール１１４の四つの基本的なモジュールを含み、更に、権限認証モジュール１１３、表示モジュール１１５及び判断モジュール１１６を含むことがある。
【００６２】
送信モジュール１１７は、他のユーザーに検索に関連する情報を送信することに用いられる。
【００６３】
受信モジュール１１１は、他のユーザーによって送信された検索に関連する情報を受信することに用いられる。
【００６４】
情報識別モジュール１１２は、受信モジュール１１１によって受信された情報を識別し、受信された情報が検索要求情報であるかどうかを判断することに用いられる。
【００６５】
検索モジュール１１４は、受信モジュール１１１によって受信された検索要求情報に応じて、電話帳の中でターゲットユーザー丁を検索して、ターゲットユーザー丁の電話番号の情報を取得することに用いられる。
【００６６】
また、本発明の移動端末は、以下のモジュールを更に含む。
【００６７】
表示モジュール１１５は、移動端末とユーザーとのインタラクションを行い、検索モジュール１１４の検索結果を表示し、ユーザーに次の動作を行うことを促すことに用いられる。
【００６８】
権限認証モジュール１１３は、検索を要求する甲の検索権限の認証を行い、認証をパスした後に、表示モジュール１１５が認証パスの情報を表示し、そして検索モジュール１１４に検索動作を実行することを指示することに用いられる。
【００６９】
判断モジュール１１６は、検索モジュール１１４の検索が成功したかどうか判断することに用いられる。検索が失敗した場合、表示モジュール１１５を利用して、ユーザー乙に他のユーザーを選択して検索を引き続き行うことを促す。検索が成功した場合、送信モジュール１１７を利用して、ローカルユーザー甲にターゲットユーザー丁の電話番号の情報を直接送信する。
【００７０】
一般的には、上記受信モジュール１１１と送信モジュール１１７とは、一体的に構成されおり、それ全体で送受信モジュールと呼ばれることがある。また、電話番号の情報をスムーズに共有することができる限り、前記電話番号の情報の共有を実現することができるデバイスは、ユーザー端末内に設置することもできるし、他のデバイス内に設置することもできる。さらに、前記検索要求情報は、検索モジュールによって送受信モジュールを介して外部に送信することができる。
【００７１】
本発明の好ましい実行形態が開示されたため、当業者は様々な改良、追加及び変更が可能である。従って、本発明の範囲は前記実施形態には限定されない。
【図１ａ】
2013501278.tif 000003
【図１ｂ】
2013501278.tif 000004
【図２】
2013501278.tif 000005
【図３】
2013501278.tif 000006
【図４】
2013501278.tif 000007
【図５】
2013501278.tif 000008
【図６】
2013501278.tif 000009
【図７】
2013501278.tif 000010
【図８】
2013501278.tif 000011
【国際調査報告】
2013501278.tif 000012
2013501278.tif 000013
2013501278.tif 000014
2013501278.tif 000015